(57)【要約】【課題】使用者が不快に感じるおそれを低減できる、マッサージ装置を提供する。【解決手段】マッサージ装置１０は、人体の対象部位とは反対の方向に凹む凹部４１を含む本体部４０と、前記対象部位をマッサージするマッサージ部２０とを備える。前記凹部４１は、前記対象部位に面する第１主面４２Ａを含み、前記マッサージ部２０は、前記対象部位をマッサージできるように前記第１主面４２Ａに設けられる出力部２１を含み、前記出力部２１は、前記本体部４０の平面視において前記凹部４１の開口部４１Ａを閉じるように規定される第１仮想線ＩＬ１に対して前記対象部位に向けて突出するように構成される。【選択図】図４
2020179006.tif 000002
【特許請求の範囲】
【請求項１】
人体の対象部位とは反対の方向に凹む凹部を含む本体部と、
前記対象部位をマッサージするマッサージ部と、を備え、
前記凹部は、前記対象部位に面する第１主面を含み、
前記マッサージ部は、前記対象部位をマッサージできるように前記第１主面に設けられる出力部を含み、
前記出力部は、前記本体部の平面視において前記凹部の開口部を閉じるように規定される第１仮想線に対して前記対象部位に向けて突出するように構成される
マッサージ装置。
【請求項２】
前記出力部は、少なくとも第１出力部および第２出力部を含み、
前記本体部は、前記本体部の平面視において規定される前記本体部の幅方向の中心線を基準に区分される第１本体部および第２本体部を含み、
前記第１出力部は、前記本体部の幅方向の中心線に対して間隔を空けて前記第１本体部に設けられ、
前記第２出力部は、前記本体部の幅方向の中心線に対して間隔を空けて前記第２本体部に設けられる
請求項１に記載のマッサージ装置。
【請求項３】
前記第１出力部は、前記本体部の平面視において前記第１出力部の中心線が前記本体部の幅方向の中心線に交差するように前記第１本体部に設けられ、
前記第２出力部は、前記本体部の平面視において前記第２出力部の中心線が前記本体部の幅方向の中心線に交差するように前記第２本体部に設けられる
請求項２に記載のマッサージ装置。
【請求項４】
前記出力部は、前記対象部位に接触する接触部を含み、
前記接触部の形状は、半球形状である
請求項１〜３のいずれか一項に記載のマッサージ装置。
【請求項５】
前記マッサージ部は、前記出力部を振動させる振動部をさらに含む、
請求項１〜４のいずれか一項に記載のマッサージ装置。
【請求項６】
前記本体部は、前記本体部を人体に固定するための保持部により人体に固定された状態において、人体に接触しないように構成される接触回避構造をさらに含む
請求項１〜５のいずれか一項に記載のマッサージ装置。
【発明の詳細な説明】
【技術分野】
【０００１】
本発明は、人体の対象部位に取り付けられるマッサージ装置に関する。
【背景技術】
【０００２】
人体表面に刺激を与えることで、人体内部の筋肉および神経を刺激して所定の効果を得る装置が知られている。特許文献１に記載の整復装置は、皮膚を刺激することで筋の神経伝達を促進し、姿勢の矯正を行う。
【先行技術文献】
【特許文献】
【０００３】
【特許文献１】特開２００４−１４１３８４号公報
【発明の概要】
【発明が解決しようとする課題】
【０００４】
人体内部の比較的深い部分に存在する筋肉および神経を刺激する場合、人体表面に対して一定以上の強さの刺激を与える必要がある。この場合、対象とする筋肉および神経に加えて、胃および腸といった内臓に対しても刺激が伝わる。この刺激により、使用者が不快に感じるおそれがある。
【０００５】
本発明の目的は、使用者が不快に感じるおそれを低減できるマッサージ装置を提供することである。
【課題を解決するための手段】
【０００６】
本発明に関するマッサージ装置は、人体の対象部位とは反対の方向に凹む凹部を含む本体部と、前記対象部位をマッサージするマッサージ部とを備え、前記凹部は、前記対象部位に面する第１主面を含み、前記マッサージ部は、前記対象部位をマッサージできるように前記第１主面に設けられる出力部を含み、前記出力部は、前記本体の平面視において前記凹部の開口部を閉じるように規定される第１仮想線に対して前記対象部位に向けて突出するように構成される。
【発明の効果】
【０００７】
本発明に関するマッサージ装置によれば、使用者が不快に感じるおそれを低減できる。
【図面の簡単な説明】
【０００８】
【図１】実施の形態のマッサージ装置を人体の対象部位に取り付けた状態を示す図。
【図２】図１のマッサージ装置の斜視図。
【図３】図１のマッサージ装置のブロック図。
【図４】図１のマッサージ装置の正面図。
【図５】図１のマッサージ装置を人体の対象部位に取り付けた状態を使用者が見た状態を示す図。
【発明を実施するための形態】
【０００９】
（マッサージ装置が取り得る形態の一例）
本発明に関するマッサージ装置は、人体の対象部位とは反対の方向に凹む凹部を含む本体部と、前記対象部位をマッサージするマッサージ部とを備え、前記凹部は、前記対象部位に面する第１主面を含み、前記マッサージ部は、前記対象部位をマッサージできるように前記第１主面に設けられる出力部を含み、前記出力部は、前記本体の平面視において前記凹部の開口部を閉じるように規定される第１仮想線に対して前記対象部位に向けて突出するように構成される。
【００１０】
上記マッサージ装置によれば、第１主面に設けられ、人体の対象部位をマッサージする出力部と人体の対象部位とが接近することで、人体の対象部位以外がマッサージされることが抑制される。このため、使用者が不快に感じるおそれを低減できる。
【００１１】
前記マッサージ装置の一例によれば、前記出力部は、少なくとも第１出力部および第２出力部を含み、前記本体部は、前記本体部の平面視において規定される前記本体部の幅方向の中心線を基準に区分される第１本体部および第２本体部を含み、前記第１出力部は、前記本体部の幅方向の中心線に対して間隔を空けて前記第１本体部に設けられ、前記第２出力部は、前記本体部の幅方向の中心線に対して間隔を空けて前記第２本体部に設けられる。
【００１２】
上記マッサージ装置によれば、出力部と人体の対象部位とが接近することで、人体の対象部位以外がマッサージされることが抑制される。このため、使用者が不快に感じるおそれを低減できる。
【００１３】
前記マッサージ装置の一例によれば、前記第１出力部は、前記本体部の平面視において前記第１出力部の中心線が前記本体部の幅方向の中心線に交差するように前記第１本体部に設けられ、前記第２出力部は、前記本体部の平面視において前記第２出力部の中心線が前記本体部の幅方向の中心線に交差するように前記第２本体部に設けられる。
【００１４】
上記マッサージ装置によれば、第１出力部の中心線および第２主力部の中心線は、本体部の幅方向の中心線に交差する。このため、人体の対象部位に対して出力部を接近させることができ、マッサージの効率が向上する。
【００１５】
前記マッサージ装置の一例によれば、前記出力部は、前記対象部位に接触する接触部を含み、前記接触部の形状は、半球形状である。
上記マッサージ装置によれば、出力部が人体と接触するときに使用者が不快に感じるおそれを低減できる。
【００１６】
前記マッサージ装置の一例によれば、前記マッサージ部は、前記出力部を振動させる振動部をさらに含む。
上記マッサージ装置によれば、人体の対象部位をより振動により好適にマッサージできる。
【００１７】
前記マッサージ装置の一例によれば、前記本体部は、前記本体部を人体に固定するための保持部により人体に固定された状態において、人体に接触しないように構成される接触回避構造をさらに含む。
【００１８】
マッサージ装置を用いてマッサージを実施しているとき、本体部が振動する場合がある。本体部の振動が使用者に伝わると、使用者が不快に感じるおそれがある。上記マッサージ装置によれば、マッサージ装置を保持部により人体に固定したとき、本体部が人体に接触しないように構成される接触回避構造を含むため、たとえばあばら骨を介して本体部の振動が使用者に伝わり使用者が不快に感じるおそれを低減できる。
【００１９】
（実施の形態）
図１および図２に示されるマッサージ装置１０は、人体Ｂの対象部位をマッサージするために用いられる。人体Ｂの対象部位は、腹部または背部に存在する筋肉および神経である。具体的には、筋肉の内部に存在する筋紡錘である。筋紡錘が刺激されることにより、人体Ｂの対象部位に存在する筋肉が伸長または収縮し、使用者に対してリラックス効果を付与する。加えて、人体Ｂの対象部位に存在する筋肉が伸長または収縮することで、脂肪が消費され、脂肪細胞に存在する脂肪減少の効果が得られる。マッサージ装置１０は、例えば振動を発生させ人体Ｂの対象部位をマッサージする。使用者は、着席または起立した状態でマッサージ装置１０を使用できる。マッサージ装置１０を構成する主な要素は、マッサージ部２０および本体部４０である。マッサージ部２０は、人体Ｂの対象部位をマッサージする。本体部４０は、マッサージ部２０が配置される。
【００２０】
マッサージ部２０は、出力部２１および振動部２４（図３参照）を備えている。出力部２１は、振動部２４から発生した振動を人体Ｂの対象部位に対して出力する。対象部位の一例は、腹部に存在する筋肉である。筋肉の一例は、腹斜筋である。より具体的には、腹斜筋に存在する筋紡錘である。出力部２１の数は、１または複数の任意の数が選択される。一例では、出力部２１は、第１出力部２２および第２出力部２３を含む。
【００２１】
第１出力部２２は、第１接触面２２Ａを備える。第１出力部２２は、使用者が人体Ｂの対象部位に接触させたときに、不快に感じにくい形状に形成されている。一例では、第１出力部２２の形状は、第１接触面２２Ａが曲面形状に形成された半球形状である。別の例では、第１出力部２２の形状は、第１接触面２２Ａが平面に形成された柱形状である。
【００２２】
第２出力部２３は、第２接触面２３Ａを備える。第２出力部２３は、使用者が人体Ｂの対象部位に接触させたときに、不快に感じにくい形状に形成されている。一例では、第２出力部２３の形状は、第２接触面２３Ａが曲面形状に形成された半球形状である。別の例では、第２出力部２３の形状は、第２接触面２３Ａが平面に形成された柱形状である。
【００２３】
出力部２１を構成する材料は、任意に選択できる。好ましい例では、機械的性質、熱的性質、化学的性質、および、電気的性質の１つまたは複数に優れた軽量な材料が選択される。出力部２１を構成する材料は、伝熱性が高いことがより好ましい。その一例は、ポリプロピレン樹脂である。
【００２４】
振動部２４は、人体Ｂの対象部位をマッサージするための振動を発生させる。一例では、振動部２４は、モータである。モータの一例は、偏心モータである。振動部２４の数は、１または複数の任意の数が選択される。一例では、振動部２４は、第１振動部２４Ａおよび第２振動部２４Ｂを含む。第１振動部２４Ａは、第１出力部２２の内部空間に設けられる。第２振動部２４Ｂは、第２出力部２３の内部空間に設けられる。別の例では、第１振動部２４Ａおよび第２振動部２４Ｂは、本体部４０の内部空間に設けられる。この場合、第１振動部２４Ａおよび第２振動部２４Ｂの一方を省略してもよい。
【００２５】
本体部４０は、人体Ｂの対象部位とは反対の方向に凹む凹部４１を含んでいる。凹部４１は、人体Ｂの対象部位に向かい開口する開口部４１Ａを備える。本体部４０は、複数の面４２により構成される。複数の面４２は、人体Ｂの対象部位に面する第１主面４２Ａ、第１主面４２Ａに対して対象部位とは反対の方向に設けられる第２主面４２Ｂ、および、第１主面４２Ａと第２主面４２Ｂとを互いに連結させる複数の側面４２Ｃを含んでいる。複数の面４２により、本体部４０は、内部空間を形成している。凹部４１は、第１主面４２Ａを含んでいる。本体部４０を構成する材料は、任意に選択できる。好ましい例では、機械的性質、熱的性質、化学的性質、および、電気的性質の１つまたは複数に優れた軽量な材料が選択される。本体部４０を構成する材料は、伝熱性が高いことがより好ましい。その一例は、ポリプロピレン樹脂である。
【００２６】
本体部４０は、本体部４０の平面視により規定される本体部４０の幅方向の中心線ＣＬ（図４参照）を基準に区分される第１本体部４０Ａおよび第２本体部４０Ｂを含んでいる。一例では、第１本体部４０Ａおよび第２本体部４０Ｂは、中心線ＣＬを挟んで線対称に構成される。別例では、第１本体部４０Ａおよび第２本体部４０Ｂは、中心線ＣＬを挟んで線対称に構成されない。
【００２７】
本体部４０は、保持部５０を連結するための連結部４３を備える。図示される連結部４３の一例は、貫通孔４３Ａである。連結部４３は、フック、面ファスナ、および、ねじによって構成されていてもよい。貫通孔４３Ａは、第１主面４２Ａおよび第２主面４２Ｂの一方から他方に貫通する。連結部４３は、例えば第１本体部４０Ａにおいて、中心線ＣＬに対して反対側である第１端部４４および第２本体部４０Ｂにおいて、中心線ＣＬに対して反対側である第２端部４５にそれぞれ設けられる。
【００２８】
第１主面４２Ａは、人体Ｂの対象部位に接近することに適した形状に形成される。一例では、第１主面４２Ａは、本体部４０の平面視により規定される本体部４０の幅方向の中心線ＣＬを通る部分を頂点とする曲面形状に形成される。第１主面４２Ａは、第１本体部４０Ａおよび第２本体部４０Ｂに形成される。
【００２９】
第２主面４２Ｂは、任意の形状に形成される。一例では、第２主面４２Ｂは、第１主面４２Ａと平行になるように形成される。別の例では、第２主面４２Ｂは、平面状に形成される。図示される一例では、第２主面４２Ｂは、第１主面４２Ａと平行になるように形成される面と平面状に形成される面とを備えている。第２主面４２Ｂの平面上に形成された面には、例えば制御装置３０のハウジング３０Ａが配置される。
【００３０】
マッサージ装置１０は、本体部４０を人体Ｂの対象部位に対して固定する保持部５０をさらに備えている。保持部５０を構成する主な要素は、本体５１、第１係合部５２、および、第２係合部５３である。一例では、保持部５０は、ベルトである。
【００３１】
本体５１は、人体Ｂに対して巻き付くことで本体部４０を固定する。本体５１を構成する材料の一例は、合成繊維の布である。本体５１は、長手方向において、人体Ｂの外周の長さ以上に構成されることが好ましい。
【００３２】
第１係合部５２は、本体部４０と保持部５０の本体５１とを係合する。第１係合部５２は、本体部４０に設けられる連結部４３の構成に応じて任意の構成が選択される。図示される一例では、第１係合部５２は、面ファスナ５２Ａを備える。本体５１が、連結部４３である貫通孔４３Ａを貫通し、面ファスナ５２Ａに形成されるループ面とフック面とが結合することで、本体部４０に対して、本体５１が係合される。
【００３３】
第２係合部５３は、人体Ｂに対して巻き付いた本体５１を係合する。図示される一例では、第２係合部５３は、バックル５３Ａおよび係合端５３Ｂを備える。第２係合部５３は、フック、面ファスナ、および、ねじによって構成されていてもよい。第２係合部５３は、人体Ｂに対して本体部４０が固定されたときに、マッサージ部２０の出力部２１が人体Ｂに加える圧力を調節できるように構成されている。
【００３４】
マッサージ装置１０は、マッサージ部２０を制御する制御装置３０をさらに備えている。図３を参照して、制御装置３０について説明する。
制御装置３０は、操作部３１、制御部３２、記憶部３３、および、電源部３４を備えている。制御装置３０を構成する各要素は、少なくとも１つの別の要素と電気的に接続される。図示される一例では、制御部３２を介して、制御部３２を除く各要素が電気的に接続される。各要素は、接続線３５により電気的に接続されてもよく、制御部３２が設けられる回路基板上に設けられていてもよい。接続線３５は、電力線搬送通信が可能に構成されていてもよい。
【００３５】
操作部３１は、使用者からの操作を受け付ける。一例では、操作部３１は、ボタンおよびスイッチにより構成される。操作部３１は、使用者の操作に応じてオンの状態またはオフの状態を切り替える。操作部３１がオフ状態の場合、電源部３４の電力は制御部３２に供給されない。操作部３１がオン状態の場合、制御部３２に電源部３４の電力が供給される。
【００３６】
制御部３２は、プログラムを実行する演算処理装置により構成される。演算処理装置は例えばＣＰＵ(Central Processing Unit)およびＭＰＵ(Micro Processing Unit)の一方または両方により構成される。制御部３２は、振動部２４の出力を制御し、出力部２１の振動を制御する。制御部３２は、接続線３５を介して振動部２４と接続される。制御部３２は、出力部２１の振動数が人体Ｂの対象部位に対するマッサージに適した振動数となるように振動部２４を制御する。一例では、制御部３２は、出力部２１の振動数が４０Ｈｚとなるように、振動部２４を制御する。具体的には、制御部３２は、電源部３４から振動部２４に流れる電流圧を制御することで、出力部２１の振動数を制御する。
【００３７】
記憶部３３は、例えば不揮発性メモリおよび揮発性メモリの少なくとも１つを備える。記憶部３３は、各種制御に必要な情報を記憶する。制御部３２は、記憶部３３に記憶される制御モード情報に基づいて、振動部２４を制御するように構成されていてもよい。この場合、制御モード情報は、適切な人体Ｂの対象部位に対するマッサージを実行できる出力部２１の振動数と振動部２４の出力継続時間とが対応付けられた情報を含む。一例では、出力部２１の振動数が４０Ｈｚのとき、振動部２４の出力継続時間は２０分である。制御モード情報は、予め試験などによって得られた結果から設定される。
【００３８】
電源部３４は、商用電源の交流を直流に変換する電源回路、および、バッテリの直流を直流に変換する電源回路の一方または両方を備える。マッサージ装置１０の電源は商用電源およびバッテリの一方または両方である。
【００３９】
制御装置３０を構成する各要素は、ハウジング３０Ａ内に配置される。ハウジング３０Ａは、第２主面４２Ｂに配置される。第２主面４２Ｂおよびハウジング３０Ａは、それぞれ図示しない開口を有し、本体部４０の内部空間とハウジング３０Ａの内部空間とが開口を介して連通している。制御装置３０を構成する各要素のうち、少なくとも１つが本体部４０の内部空間に設けられていてもよい。制御装置３０を構成する各要素のすべてが、本体部４０の内部空間に設けられる場合、ハウジング３０Ａの構成を省略してもよい。
【００４０】
図４を参照して、本体部４０に対する、第１出力部２２および第２出力部２３の配置について説明する。
第１出力部２２は、第１本体部４０Ａの第１主面４２Ａに配置される。第１主面４２Ａおよび第１出力部２２は、それぞれ図示しない開口を有し、本体部４０の内部空間と第１出力部２２の内部空間とは、開口を介して連通している。
【００４１】
第２出力部２３は、第２本体部４０Ｂの第１主面４２Ａに配置される。第１主面４２Ａおよび第２出力部２３は、それぞれ図示しない開口を有し、本体部４０の内部空間と第２出力部２３の内部空間とは、開口を介して連通している。
【００４２】
第１出力部２２および第２出力部２３の少なくとも１つは、第１仮想線ＩＬ１に対して、対象部位に向けて突出している。好ましくは、第１接触面２２Ａ上の第１頂点２２Ｂおよび第２接触面２３Ａ上の第２頂点２３Ｂの少なくとも１つが対象部位に向けて突出している。より好ましくは、第１接触面２２Ａ上の第１頂点２２Ｂおよび第２接触面２３Ａ上の第２頂点２３Ｂの両方が対象部位に向けて突出している。第１仮想線ＩＬ１は、以下に記載の第１条件および第２条件の少なくとも１つを満たす。第１条件では、第１仮想線ＩＬ１は、凹部４１の開口部４１Ａを閉じるように規定された仮想面上の線である。第２条件では、第１仮想線ＩＬ１は、第１本体部４０Ａの第１端部４４上に存在する任意の点Ｐ１および第２本体部４０Ｂの第２端部４５上に存在する任意の点Ｐ２を結ぶ直線である。図示される第１仮想線ＩＬ１は、第１条件および第２条件の両方を満たす。
【００４３】
第１出力部２２および第２出力部２３の少なくとも１つは、中心線ＣＬに対して所定間隔を開けて第１本体部４０Ａおよび第２本体部４０Ｂに設けられている。好ましくは、第１出力部２２および第２出力部２３の両方が、中心線ＣＬに対して所定間隔を開けて第１本体部４０Ａおよび第２本体部４０Ｂに設けられている。所定間隔は、マッサージ装置１０を人体Ｂに取り付けたときに、中心線ＣＬと交わる場所に存在する人体Ｂの筋肉および神経が刺激されない間隔である。
【００４４】
第１出力部２２の第１頂点２２Ｂと第１中心点２２Ｃとを結ぶ直線を第１中心線２２Ｄと定義する。第２出力部２３の第２頂点２３Ｂと第２中心点２３Ｃとを結ぶ直線を第２中心線２３Ｄと定義する。第１中心線２２Ｄは、中心線ＣＬと点Ｐ３で交差する。第２中心線２３Ｄは、中心線ＣＬと点Ｐ４で交差する。図示される一例では、点Ｐ１と点Ｐ２とは、一致する。別の例では、点Ｐ３と点Ｐ４とは、異なる中心線ＣＬ上の点である。
【００４５】
図５を参照し、実施の形態のマッサージ装置１０の作用について説明する。
マッサージ装置１０は、第２係合部５３を係合することで、人体Ｂの対象部位に固定される。第２係合部５３は、本体部４０に対して人体Ｂの対象部位を挟んだ位置に配置される。
【００４６】
第１出力部２２および第２出力部２３は、人体Ｂの皮膚を所定の力で押圧する。所定の力は、第２係合部５３を調節することで調節できる。具体的には、バックル５３Ａに対する係合端５３Ｂの場所を調節する。所定の力は、人体Ｂの所定部位、および、対象とする筋肉または神経ごとに異なる。使用者は、ハウジング３０Ａに設けられた操作部３１を操作することで、出力部２１を振動させ人体Ｂの所定部位に対してマッサージを実行する。
【００４７】
マッサージ装置１０は、マッサージ装置１０が人体Ｂに対して固定されたときに、本体部４０が人体Ｂと接触しないように構成される接触回避構造を含んでいる。接触回避構造は、人体Ｂ上の任意の点Ｐ５と本体部４０上の任意の点Ｐ６との最短距離が、所定距離Ｌ１以下とならないための構造である。一例では、所定距離Ｌ１は、１０ｍｍである。接触回避構造は、第１出力部２２および第２出力部２３を含む。
【００４８】
第１出力部２２および第２出力部２３が人体Ｂの皮膚を所定の力で押圧するとき、人体Ｂの皮膚は、内部に向かって陥没する。第１出力部２２および第２出力部２３は、第１仮想線ＩＬ１に対して対象部位に向けて突出しているため、陥没していない部分の人体Ｂの皮膚と本体部４０とが接触しない。
【００４９】
本実施の形態のマッサージ装置１０によれば、さらに以下の効果が得られる。
出力部２１と人体Ｂの対象部位とが接近するため、人体Ｂの対象部位を刺激するときの出力部２１の振動数を小さくできる。このため、人体Ｂの対象部位以外の、胃や腸などの内臓が刺激される恐れが低減されるため、使用者が不快に感じるおそれを低減できる。出力部２１の振動数が１００Ｈｚ程度になると、内臓が刺激されることで軽度の不快感を使用者に与えるおそれがある。
【００５０】
出力部２１が伝熱性の良い部材で構成されているため、振動部２４の動作により生じた熱が出力部２１を介して人体Ｂの対象部位に伝わる。このため、人体Ｂの対象部位に対して振動および熱が加えられるため、脂肪細胞に存在する脂肪減少の効果が得られる。
【００５１】
本体部４０が伝熱性の良い部材で構成されているため、振動部２４の動作により発生した熱が本体部４０全体に伝わる。本体部４０は、人体Ｂの対象部位に接近することに適した形状であるため、人体Ｂの対象部位を含む広い領域に対して振動部２４の動作により生じた熱が加えられる。このため、人体Ｂの対象部位を含む広い領域の脂肪細胞に存在する脂肪減少の効果が得られる。
【００５２】
（変形例）
実施の形態に関する説明は本発明に関するマッサージ装置が取り得る形態の例示であり、その形態を制限することを意図していない。本発明は実施の形態以外に例えば以下に示される実施の形態の変形例、および、相互に矛盾しない少なくとも２つの変形例が組み合わせられた形態を取り得る。
【００５３】
・出力部２１の数は、例えば３つ以上設けられてもよい。一例では、第１本体部４０Ａおよび第２本体部４０Ｂにさらに１つずつ出力部２１が配置される。追加される出力部２１は、第１出力部２２および第２出力部２３と同様の構成を備えていてもよく、少なくとも１つが異なる構成を備えていてもよい。第１出力部２２、第２出力部２３、および、追加された出力部２１は、それぞれ異なる種類の筋肉の筋紡錘を刺激するのに適したように構成されていてもよい。一例では、筋肉の種類は、腹斜筋および腹横筋である。
【００５４】
・マッサージ部２０は、人体Ｂの対象部位を刺激する任意のマッサージ手段をさらに備えていてもよい。第１例では、マッサージ部２０は、ヒータを備え、人体Ｂの対象部位を加熱する。第２例では、マッサージ部２０は、電気刺激を与えるパッドを備え、人体Ｂの対象部位に電気刺激を与える。パッドは、出力部２１の任意の場所に設けられる。第３例では、マッサージ部２０は、ヒータおよびパッドの両方を備える。
【００５５】
・中心線ＣＬに対応する部分に、目印を設けてもよい。使用者は目印を人体Ｂの中心と一致させることで、より容易にマッサージ装置１０を人体Ｂの対象部位に固定できる。
【産業上の利用可能性】
【００５６】
本発明に関するマッサージ装置は、人体の健康増進のために利用できる。
【符号の説明】
【００５７】
１０  ：マッサージ装置
２０  ：マッサージ部
２１  ：出力部
２２  ：第１出力部
２２Ａ：第１接触部
２２Ｂ：第１頂点
２２Ｃ：第１中心点
２２Ｄ：第１中心線
２３  ：第２出力部
２３Ａ：第２接触部
２３Ｂ：第２頂点
２３Ｃ：第２中心点
２３Ｄ：第２中心線
２４  ：振動部
３０  ：制御装置
３０Ａ：ハウジング
３１  ：操作部
３２  ：制御部
３３  ：記憶部
３４  ：電源部
３５  ：接続線
４０  ：本体部
４０Ａ：第１本体部
４０Ｂ：第２本体部
４１  ：凹部
４１Ａ：開口部
４２  ：面
４２Ａ：第１主面
４２Ｂ：第２主面
４２Ｃ：側面
４３  ：連結部
４３Ａ：貫通孔
４４  ：第１端部
４５  ：第２端部
５０  ：保持部
５１  ：本体
５２  ：第１係合部
５２Ａ：面ファスナ
５３  ：第２係合部
５３Ａ：バックル
５３Ｂ：係合端
Ｂ    ：人体
ＣＬ  ：中心線
ＩＬ１：第１仮想線
Ｌ１  ：所定距離
Ｐ１  ：点
Ｐ２  ：点
Ｐ３  ：点
Ｐ４  ：点
Ｐ５  ：点
Ｐ６  ：点
【図１】
2020179006.tif 000003
【図２】
2020179006.tif 000004
【図３】
2020179006.tif 000005
【図４】
2020179006.tif 000006
【図５】
2020179006.tif 000007